(57)【要約】【課題】  工具なしで刃体アッセンブリを脱着することができ、かつ刃体アッセンブリをハウジングに対して安定良く保持することができる園芸用バリカンを提供する。【解決手段】  刃体アッセンブリ２をハウジング３に設置し、その刃体アッセンブリ２を保持部材４によってハウジング３に脱着可能に保持する園芸用バリカンであって、保持部材４は、ハウジング２に設置された刃体アッセンブリ３の表面と略平行に保持部材４をハウジング２に対してスライドさせることでハウジング２に係脱自在に係着する係着部４ａと、同スライド方向の力を同スライド方向と略直交する方向の押し力に変換して刃体アッセンブリ２をハウジング３に押付ける押付け部とを有している。【選択図】        図４
2006296238.tif 000002
【特許請求の範囲】
【請求項１】
複数の刃体を一体的に組付けた刃体アッセンブリをハウジングに設置し、その刃体アッセンブリを保持部材によってハウジングに脱着可能に保持し、前記刃体の少なくとも一つを前記ハウジングに内設された駆動機構によって往復運動させる園芸用バリカンであって、
前記保持部材は、前記ハウジングに設置された前記刃体アッセンブリの表面と略平行に前記保持部材を前記ハウジングに対してスライドさせることで前記ハウジングに係脱自在に係着する係着部と、同スライド方向の力を同スライド方向と略直交する方向の押し力に変換して前記刃体アッセンブリを前記ハウジングに押付ける押付け部とを有していることを特徴とする園芸用バリカン。
【請求項２】
請求項１に記載の園芸用バリカンであって、
保持部材とハウジングとの間には、前記保持部材を解除可能に前記ハウジングに対して位置決め保持する位置決め機構が設けられていることを特徴とする園芸用バリカン。
【請求項３】
複数の刃体を一体的に組付けた刃体アッセンブリをハウジングに対して脱着可能に取付け、前記刃体の少なくとも一つを前記ハウジングに内設された駆動機構によって往復運動させる園芸用バリカンであって、
前記刃体アッセンブリは、前記ハウジングの表面と略平行に前記刃体アッセンブリをスライドさせることで前記ハウジングに係脱自在に係着する係着部と、同スライド方向の力を同スライド方向とほぼ直交する方向の力に変換し、前記ハウジングに対して突っ張ることで前記係着部を前記ハウジングに対して押付ける押付け部とを有していることを特徴とする園芸用バリカン。
【発明の詳細な説明】
【技術分野】
【０００１】
本発明は、芝生を刈り込む芝生バリカン、生垣を刈り込む生垣バリカンなどの園芸用バリカンに関する。とりわけ複数の刃体を一体的に組付けた刃体アッセンブリをハウジングに対して脱着可能に取付けることのできる園芸用バリカンに関する。
【背景技術】
【０００２】
従来、例えば特許文献１〜３に記載の園芸用バリカンが知られている。
特許文献１に記載の園芸用バリカンは、芝生バリカンであって、ハウジングの底部に設置される固定刃と、その固定刃を下側から保持する刃体押え蓋とを有している。そして刃体押え蓋は、ハウジングの底部に設置した固定刃の表面に沿ってスライドさせることでハウジングに係脱可能に係着する係着部を有している。
特許文献２に記載の園芸用バリカンは、芝生バリカンであって、ハウジングの底部に溝を設け、その溝に固定刃を差込む。そしてハウジングには、バネに付勢されて突出するピンが設けられており、ピンが固定刃に形成された孔に突出し、固定刃がハウジングに対して抜け止めされる。
【０００３】
特許文献３に記載の園芸用バリカンは、芝生バリカンであって、ハウジングの底部に爪が形成されており、その爪に刃体アッセンブリが係脱可能に取付けられる構成になっている。
したがって特許文献１〜３に係る園芸用バリカンは、工具を使用することなく固定刃や刃体アッセンブリを脱着することができる。
【特許文献１】実公平２−２１８４号公報
【特許文献２】実公平７−１１５６８号公報
【特許文献３】米国特許第３９５９８７８号明細書
【発明の開示】
【発明が解決しようとする課題】
【０００４】
しかし特許文献１〜３に係る園芸用バリカンは、固定刃や刃体アッセンブリをハウジングに対して安定良く保持するための特別な構造を有していなかった。例えば、固定刃を螺子で止める古いタイプの園芸用バリカンでは、螺子の締め付け力を強くすることによって固定刃を安定良くハウジングに保持することができる。しかし特許文献１〜３に係る園芸用バリカンは、それができない構造であった。一方、古いタイプの園芸用バリカンは、固定刃や刃体アッセンブリを脱着する際に工具を必要とする構成であった。
そこで本発明は、工具なしで刃体アッセンブリを脱着することができ、かつ刃体アッセンブリをハウジングに対して安定良く保持することができる園芸用バリカンを提供することを課題とする。
【課題を解決するための手段】
【０００５】
前記課題を解決するために本発明は、各請求項に記載の通りの構成を備える園芸用バリカンであることを特徴とする。
すなわち請求項１に記載の発明によると、刃体アッセンブリをハウジングに設置し、その刃体アッセンブリを保持部材によってハウジングに脱着可能に保持する園芸用バリカンであって、保持部材は、ハウジングに設置された刃体アッセンブリの表面と略平行に保持部材をハウジングに対してスライドさせることでハウジングに係脱自在に係着する係着部と、同スライド方向の力を同スライド方向と略直交する方向の押し力に変換して刃体アッセンブリをハウジングに押付ける押付け部とを有している。
したがって保持部材をハウジングに対してスライドさせることで、保持部材をハウジングに対して係着することができる。これと同時に保持部材の押付け部によって刃体アッセンブリをハウジングに対して押付けることができる。そのため刃体アッセンブリは、ハウジングに対して安定良く保持され得る。しかも工具を使用することなく刃体アッセンブリをハウジングに対して脱着させることができる。
【０００６】
請求項２に記載の発明によると、保持部材とハウジングとの間には、保持部材を解除可能にハウジングに対して位置決め保持する位置決め機構が設けられている。
ところで保持部材は、スライドされることでハウジングに係着し、これと同時に刃体アッセンブリをハウジングに押付ける構成になっている（請求項１参照）。そのためその位置で保持部材を位置保持することで、保持部材は、ハウジングに対して係着し続ける。そしてこれと同時に保持部材は、刃体アッセンブリをハウジングに対して押付け続ける。かくして刃体アッセンブリは、保持部材によってハウジングに対して安定良く保持され続ける。
【０００７】
請求項３に記載の発明によると、複数の刃体を一体的に組付けた刃体アッセンブリをハウジングに対して脱着可能に取付ける園芸用バリカンであって、刃体アッセンブリは、ハウジングの表面と略平行に刃体アッセンブリをスライドさせることでハウジングに係脱自在に係着する係着部と、同スライド方向の力を同スライド方向とほぼ直交する方向の力に変換し、ハウジングに対して突っ張ることで係着部をハウジングに対して押付ける押付け部とを有している。
したがって刃体アッセンブリをハウジングに対してスライドさせることで、刃体アッセンブリをハウジングに対して係着することができる。これと同時に刃体アッセンブリの押付け部によって係着部をハウジングに対して押付けることができる。そのため刃体アッセンブリは、ハウジングに対して安定良く保持され得る。しかも工具を使用することなく刃体アッセンブリをハウジングに対して脱着させることができる。
【発明を実施するための最良の形態】
【０００８】
本発明の実施の形態に係る園芸用バリカン１を図１〜１０にしたがって説明する。
園芸用バリカン１は、図１に示すように芝生バリカンであって、ハウジング３と刃体アッセンブリ２と保持部材４を有している。
ハウジング３は、中空殻状であって、左右一対の殻体３ａ，３ｂを有している。ハウジング３の中空部には、モータ６と駆動機構７が収容されている。ハウジング３の上側部には、ハンドル部３０が形成されており、ハンドル部３０には、スイッチ５が設けられている。
【０００９】
モータ６は、図２に示すように軸回転する回転軸６ａと、回転軸６ａに固定されたピニオンギヤ６ｂを有している。
駆動機構７は、モータ６の出力を刃体アッセンブリ２の刃体２ａ，２ｂの往復運動に変換する機構であって、複数のギヤ７ａ，７ｂと遍心カム７ｃを有している。
ギヤ７ａ，７ｂは、それぞれハウジング３に対して軸回転可能に軸支されている。
ギヤ７ａは、ピニオンギヤ６ｂに噛合う大ギヤ部７ａ１と、ギヤ７ｂに噛合う小ギヤ部７ａ２とを上下位置に一体に有している。そしてギヤ７ｂには、遍心カム７ｃが固定されている。
【００１０】
遍心カム７ｃは、図２に示すように上側に第一カム部７ｃ１を有し、下側に第二カム部７ｃ２を一体に有している。
第一カム部７ｃ１は、刃体２ａに形成されたカム挿入孔２ａ１に挿入される（図４参照）。一方、第二カム部７ｃ２は、刃体２ｂに形成されたカム挿入孔２ｂ１に挿入される。
したがってスイッチ５をＯＮにし、モータ６を駆動させ、モータ６の動力によって駆動機構７の遍心カム７ｃを回転させることで、刃体２ａ，２ｂを往復揺動させることができる。そして刃体２ａ，２ｂは、第一カム部７ｃ１と第二カム部７ｃ２とによって相互にほぼ逆方向に所定角度範囲内で往復揺動（往復運動）する。
【００１１】
刃体アッセンブリ２は、図４に示すように複数（例えば二枚）の刃体（可動刃）２ａ，２ｂと、一つの支持プレート２ｃを有している。刃体２ａ，２ｂと支持プレート２ｃは、図３，４に示すようにこの順に積層され、ピン２ｄとＥリング２ｅとによって回動可能に一体状に組み付けられている。
支持プレート２ｃは、図３に示すように略円盤状であって、下側面に複数（例えば三つ）の力受部２ｃ１を有している。
力受部２ｃ１は、凸状であって、支持プレート２ｃの外周縁寄りにほぼ等間隔で形成されている。そして力受部２ｃ１は、図１０に示すように保持部材４に形成された押付け部４ｂに当接し、押付け部４ｂによって押されることで力を受ける構成になっている。
【００１２】
保持部材４は、図１に示すように刃体アッセンブリ２をハウジング３の底部に脱着可能に保持する部材である。
保持部材４は、図３，４に示すように複数（例えば二つ）の係着部４ａと、複数（例えば三つ）の押付け部４ｂを有している。
【００１３】
係着部４ａは、図９に示すように保持部材４の上面から略Ｌ字状に突出し、ハウジング３に係止する構成になっている。
一方、ハウジング３には、図３，９に示すように係止部３ｄと差込み部３ｃが形成されている。係止部３ｄは、ハウジング３の底部に形成された開口部３ｅの周壁面に沿って凹状に形成されている。差込み部３ｃは、係止部３ｄの一部を開口する構成になっている。
したがって係着部４ａを開口部３ｅに差込み、保持部材４を図７矢印Ｘ方向に回すことで係着部４ａを図９，１０に示すように係止部３ｄに対して係着させることができる。
【００１４】
押付け部４ｂは、図５に示すように保持部材４の上面に設けられている。
押付け部４ｂは、保持部材４の本体から片持ち梁状に延出する片持ち梁部４ｂ１を有しており、図６に示すように片持ち梁部４ｂ１の先端部には、押付け面４ｂ２が形成されている。
押付け面４ｂ２は、保持部材４の上面に対して傾斜角度を有している。そして押付け面４ｂ２は、保持部材４をハウジング３に対して図７に示す矢印Ｘ方向に回すことで、図９の位置から図１０の位置へ移動する。したがって押付け面４ｂ２は、力受部２ｃ１をハウジング３側（図１０左側）に押すことができる。そして支持プレート２ｃの上面周縁部がハウジング３に対して押付けられる。
【００１５】
すなわち上記したように、保持部材４とハウジング３との間には、係着部４ａと係止部３ｄが設けられており、これら構成部を備える係着機構２０によって保持部材４とハウジング３とが係脱自在に係着されている。
そして保持部材４と刃体アッセンブリ２との間には、押付け部４ｂと力受部２ｃ１が設けられており、これら構成部を備える押付け機構２１によって刃体アッセンブリ２がハウジング３に対し押付けられている。
【００１６】
保持部材４とハウジング３の間には、図３に示すように保持部材４を解除可能にハウジング３に対して位置決め保持する位置決め機構２２が設けられている。
位置決め機構２２は、図４に示すように保持部材４に形成された位置決め部４ｃと、位置決め部材８とを有している。
位置決め部４ｃは、保持部材４の上面の一部に凹設されている。
【００１７】
位置決め部材８は、図３に示すように取付部８ａと、取付部８ａから片持ち梁状に延出する弾性片８ｂを有している。
取付部８ａは、ハウジング３の殻体３ａ，３ｂ間に挟まれることでハウジング３に取付けられる。弾性片８ｂは、図２に示すように保持部材４に向けて張り出しており、保持部材４とハウジング３に挟まれて弾性変形される。そして弾性片８ｂは、弾性戻りすることで保持部材４の位置決め部４ｃにその先端部が嵌り込む構成になっている。
【００１８】
以下に、刃体アッセンブリ２と保持部材４をハウジング３に組付ける方法について説明する。
先ず、刃体アッセンブリ２をハウジング３の底部に形成された開口部３ｅに設置し（図３，９参照）、開口部３ｅの周壁面に形成された当接面３ｆに支持プレート２ｃの上面外周部を当接あるいは近接させる。
次に、保持部材４の係着部４ａを図３に示すハウジング３の差込み部３ｃに差込み、保持部材４を図７に示す矢印Ｘ方向に少し回す（スライドさせる）。これにより図９に示すように係着部４ａが係止部３ｄに係着する。
【００１９】
次に、保持部材４を図７に示す矢印Ｘ方向に大きく回す（スライドさせる）。これにより押付け部４ｂが図９に示す位置から図１０に示す位置へ移動する。そして押付け部４ｂが力受部２ｃ１を矢印Ｙ方向（上方）に押す。すなわち図７に示す矢印Ｘ方向のスライド力が押付け機構２２（押付け部４ｂ，力受部２ｃ１）によってＸ方向に対して略直交するＹ方向の押し力に変換される。そして支持プレート２ｃがその押し力で押され、支持プレート２ｃの上面外周部がハウジング３の当接面３ｆに押付けられる。
また押付け部４ｂは、図４に示すように片持ち梁状になっている。そのため押付け部４ｂは、片持ち梁部４ｂ１の弾性力を利用することによって支持プレート２ｃを所定の押し力にてハウジング３に押付けることができる。
【００２０】
位置決め部材８と位置決め部４ｃは、図７，８に示すように保持部材４を矢印Ｘ方向にスライドさせることで重なる。このため置決め部材８の弾性片８ｂが弾性戻りし（図４参照）、弾性片８ｂの先端部が位置決め部４ｃに嵌り込む。したがって保持部材４は、位置決め部材８によって図８に示す保持位置にて位置保持される。
【００２１】
次に、保持部材４と刃体アッセンブリ２をハウジング３から取外す方法について説明する。
先ず、位置決め部材８の弾性片８ｂを押し、弾性片８ｂを弾性変形させる。そしてその状態のまま、保持部材４を矢印Ｘ（図７参照）と逆の方向へ回す。そして保持部材４の係着部４ａをハウジング３の係止部３ｄから脱し、保持部材４をハウジング３から取外す。続いて刃体アッセンブリ２をハウジング３から取外す。
かくして刃体アッセンブリ２は、工具を使用することなくハウジング３に対して外され得る。
【００２２】
以上のようにして園芸用バリカン１が構成されている。
すなわち園芸用バリカン１は、図４に示すように刃体アッセンブリ２と保持部材４を有している。保持部材４は、ハウジング３に設置された刃体アッセンブリ２の表面と略平行に保持部材４をハウジング３に対してスライドさせることでハウジング３に係脱自在に係着する係着部４ａと、同スライド方向（図７の矢印Ｘ方向）の力を同スライド方向とほぼ直交する方向（図１０の矢印Ｙ方向）の押し力に変換して刃体アッセンブリ２をハウジング３に押付ける押付け部４ｂとを有している。
したがって保持部材４をハウジング３に対してスライドさせることで、保持部材４をハウジング３に対して係着することができる（図９，１０参照）。これと同時に保持部材４の押付け部４ｂによって刃体アッセンブリ２をハウジング３に対して押付けることができる。そのため刃体アッセンブリ２は、ハウジング３に対して安定良く保持され得る。しかも工具を使用することなく刃体アッセンブリ２をハウジング３に対して脱着させることができる。
【００２３】
また保持部材４とハウジング３との間には、図４に示すように保持部材４を解除可能にハウジング３に対して位置決め保持する位置決め機構２２が設けられている。
ところで保持部材４は、図９，１０に示すようにスライドされることでハウジング３に係着し、これと同時に刃体アッセンブリ２をハウジング３に押付ける構成になっている。そのためその位置で保持部材４を位置保持することで、保持部材４は、ハウジング３に対して係着し続ける。そしてこれと同時に保持部材４は、刃体アッセンブリ２をハウジング３に対して押付け続ける。かくして刃体アッセンブリ２は、保持部材４によってハウジング３に対して安定良く保持され続ける。
【００２４】
（他の実施の形態）
本発明は、上記の実施の形態に限定されず、以下の形態であってもよい。
（１）例えば、上記の実施の形態に係る園芸用バリカンは、刃体アッセンブリと保持部材を有していた。しかし園芸用バリカンが保持部材を有さず、刃体アッセンブリがハウジングに対して直接取付く形態であって、刃体アッセンブリとハウジングの間に係着機構と押付け機構が設けられる形態であっても良い。例えば支持プレートに係着部と押付け部が設けられる形態であっても良い。
すなわち「複数の刃体を一体的に組付けた刃体アッセンブリをハウジングに対して脱着可能に取付け、刃体の少なくとも一つをハウジングに内設された駆動機構によって往復運動させる園芸用バリカンであって、刃体アッセンブリは、ハウジングの表面と略平行に刃体アッセンブリをスライドさせることでハウジングに係脱自在に係着する係着部と、同スライド方向の力を同スライド方向とほぼ直交する方向の力に変換し、ハウジングに対して突っ張ることで係着部をハウジングに対して押付ける押付け部とを有している園芸用バリカン」であっても良い。
したがって刃体アッセンブリをハウジングに対してスライドさせることで、刃体アッセンブリをハウジングに対して係着することができる。これと同時に刃体アッセンブリの押付け部によって係着部をハウジングに対して押付けることができる。そのため刃体アッセンブリは、ハウジングに対して安定良く保持され得る。しかも工具を使用することなく刃体アッセンブリをハウジングに対して脱着させることができる。
（２）上記の実施の形態に係る保持部材は、保持部材をハウジングに対して矢印Ｘ方向に回すことでハウジングに係着する係着部と、刃体アッセンブリをハウジングに押付ける押付け部を有していた。しかし保持部材は、保持部材をハウジングに対して直線的にスライドさせることでハウジングに係着する係着部と、刃体アッセンブリをハウジングに対して押付ける押付け部とを有する形態であっても良い。
（３）上記の実施の形態に係る押付け機構は、図１０に示すように押付け部４ｂに押付け面（傾斜面）を有していた。しかし刃体アッセンブリの力受部に押付け面（傾斜面）を有し、その押付け面を利用して刃体アッセンブリがハウジングに押付けられる形態であっても良い。
（４）上記の実施の形態に係る刃体アッセンブリは、二つの可動刃と一つの支持プレートを有していた。しかし刃体アッセンブリが固定刃と可動刃と支持プレートを有し、可動刃のみが往復運動する構成であっても良い。
（５）上記の実施の形態に係る園芸用バリカンは、刃体がハウジングに対して左右方向に往復揺動する形態であって、主に芝生バリカンとして利用される形態であった。しかし刃体がハウジングに対して往復前後動する形態であって、主に生垣バリカンとして利用される形態であっても良い。
（６）上記の実施の形態に係る刃体アッセンブリは、保持部材をスライドさせた際にハウジングに対して静止し続ける構成になっていた。しかし保持部材をスライドさせた際に刃体アッセンブリが保持部材と一緒にハウジングに対してスライドする構成であっても良い。
（７）上記（１）に係る刃体アッセンブリは、二つの可動刃と一つの支持プレートを一体に有する形態であった。しかし一つの固定刃と一つの可動刃と一つの支持プレートとを一体に有し、支持プレートに係着部と押付け部が形成される形態であっても良い。あるいは刃体アッセンブリが固定刃と可動刃を有し、固定刃に係着部と押付け部が形成される形態であっても良い。
【図面の簡単な説明】
【００２５】
【図１】園芸用バリカンの斜視図である。
【図２】左側の殻体を外した状態の園芸用バリカンの左側面図である。
【図３】刃体アッセンブリと保持部材とハウジングの一部の斜視図である。
【図４】刃体アッセンブリと保持部材とハウジングの一部の斜視図である。
【図５】図４のＡ−Ａ線断面矢視図である。
【図６】図４のＢ−Ｂ線断面矢視図である。
【図７】組付け途中の園芸用バリカンの下面図である。
【図８】組付け後の園芸用バリカンの下面図である。
【図９】図７のＣ−Ｃ線断面矢視図である。
【図１０】図８のＤ−Ｄ線断面矢視図である。
【符号の説明】
【００２６】
１…園芸用バリカン
２…刃体アッセンブリ
２ａ，２ｂ…刃体
２ｃ…支持プレート
２ｃ１…力受部
３…ハウジング
３ａ，３ｂ…殻体
３ｃ…差込み部
３ｄ…係止部
３ｆ…当接面
３ｅ…開口部
４…保持部材
４ａ…係着部
４ｂ…押付け部
４ｂ２…押付け面
４ｃ…位置決め部
６…モータ
７…駆動機構
８…位置決め部材
２０…係着機構
２１…押付け機構
２２…位置決め機構
【図１】
2006296238.tif 000003
【図２】
2006296238.tif 000004
【図３】
2006296238.tif 000005
【図４】
2006296238.tif 000006
【図５】
2006296238.tif 000007
【図６】
2006296238.tif 000008
【図７】
2006296238.tif 000009
【図８】
2006296238.tif 000010
【図９】
2006296238.tif 000011
【図１０】
2006296238.tif 000012